(57)【要約】【課題】携帯電話からＶｏＩＰ電話（自宅０５０番号等）への通話の際の、コールバックによる無駄な通話料を無くす、ＶｏＩＰの２者間通話方法を提供する。【解決手段】ユーザは携帯端末ブラウザにて固定通信事業者のＷｅｂサーバ１１へアクセスする（ステップ１０１）。アクセスを受けたＷｅｂサーバ１１はＳＩＰ-ＳＤＰサーバ１２へコールリクエストする（ステップ１０２）。プレゼンスサーバ１３はＳＩＰ-ＳＤＰサーバ１２の要求によりＶｏＩＰ端末の状態を、宅内状態確認手段６との連携により確認する（ステップ１０３）。在宅の場合、ＳＩＰ-ＳＤＰサーバ１２は、携帯電話網２を介して携帯電話１に発信者側電話呼出しを行う（ステップ１０４）。不在の場合、ＳＩＰ-ＳＤＰサーバ１２は、０５０電話サービス網３を介して相手先側電話５の呼び出しを行い、不在である旨の情報（音声ガイダンス）のみを発信者へ返す（ステップ１０５）。【選択図】図１
2009081633.tif 000002
【特許請求の範囲】
【請求項１】
インターネットを介してＩＰ電話により通信を行う通信システムにおいて、
携帯端末から自宅のＶｏＩＰ電話への通話の際に、利用者が携帯端末ブラウザにてＷｅｂサーバへアクセスすると、該ＷｅｂサーバはＳＩＰ−ＳＤＰサーバへコールリクエストを出し、該ＳＩＰ−ＳＤＰサーバはプレゼンスサーバより該ＶｏＩＰ電話のプレゼンス状態を確認し、不在の場合はコールバックせず、不在である旨の情報のみを前記携帯端末へ返す、ＶｏＩＰの２者間通話方法。
【発明の詳細な説明】
【技術分野】
【０００１】
本発明は、ＶｏＩＰ（Ｖｏｉｃｅ  ｏｖｅｒ  ＩＰ）による通信システムに関し、特にＶｏＩＰの２者間通話方法に関する。
【背景技術】
【０００２】
携帯電話（本人）からＶｏＩＰ電話(自宅０５０番号等)への通話の際、Ｗｅｂサーバ（ＳＩＰ（Ｓｅｓｓｉｏｎ  Ｉｎｉｔｉａｔｉｏｎ  Ｐｒｏｔｏｃｏｌ）−ＳＤＰ（Ｓｅｓｓｉｏｎ  Ｄｅｓｃｒｉｐｔｉｏｎ  Ｐｒｏｔｏｃｏｌ）サーバ）から携帯電話宛およびＶｏＩＰ電話宛へコールバック（２者間通話）することにより、通話料金が安価となるサービスが実現できる（Ｗｅｂサーバから自宅ＶｏＩＰ宛の通話料金は無料で実現できることに着目し、通話料金が安価となる）。
【０００３】
この場合、Ｗｅｂ画面上で発信操作をすると携帯電話宛(本人)と自宅ＶｏＩＰ宛へ折り返し電話をかける（コールバックする）ため、もし相手先が電話に出なかった場合でも、携帯電話宛(本人)への発信分は通信料金が発生し、利用者の負担となる。
【０００４】
なお、特許文献１には、ＩＰ電話による発信があると、ＳＩＰサーバが、発信先の通信端末のプレゼンス情報をプレゼンスサーバから取得し、該通信端末がＩＰ電話を利用可能な状態にないとき、該通信端末への発信を、別の通信ツールで行うよう促すメッセージを発信元の電話機に返すことが記載されている。これは、ＳＩＰサーバとプレゼンスサーバの連携に関するものであり、着信者が不在の場合に、コールバックするか、しないかの判断は行われていない。
【特許文献１】特開２００５−２７８０８４号公報
【発明の開示】
【発明が解決しようとする課題】
【０００５】
本発明の目的は、携帯電話からＶｏＩＰ電話（自宅０５０番号等）への通話の際の、コールバックによる無駄な通話料を無くす、ＶｏＩＰの２者間通話方法を提供することにある。
【課題を解決するための手段】
【０００６】
本発明の、ＶｏＩＰの２者間通話方法は、携帯端末から自宅のＶｏＩＰ電話への通話の際に、利用者が携帯端末ブラウザにてＷｅｂサーバへアクセスすると、該ＷｅｂサーバはＳＩＰ−ＳＤＰサーバへコールリクエストを出し、該ＳＩＰ−ＳＤＰサーバはプレゼンスサーバより該ＶｏＩＰ電話のプレゼンス状態を確認し、不在の場合はコールバックせず、不在である旨の情報のみを前記携帯端末へ返すものである。
【発明の効果】
【０００７】
利用者にとっては、外出先から自宅(ＶｏＩＰ宛)へ帰るコールなどを行った場合の通話料金が安価になる。この際、従来はコールバックを行った際相手先（自宅）が不在であった場合でも携帯宛コールバック発信分は料金が発生し利用者負担となっていたが、本発明により、不要となる。
【０００８】
通信事業者にとっては、固定通信事業者の自ＶｏＩＰユーザの加入者増へ繋がる。また、従来はなかった携帯通話のトラフィックを一部獲得することが可能となる。かつ、携帯電話会社を選はずサービスを行うことが可能である（マルチキャリア対応）。
【発明を実施するための最良の形態】
【０００９】
次に、本発明の実施の形態について図面を参照して説明する。
【００１０】
図１は、携帯電話からＶｏＩＰ電話（自宅０５０番号）へ通話する場合の通信システムの構成および手順を示している。
【００１１】
図２は図1中の固定事業者設備の構成を示している。固定事業者設備４はＷｅｂサーバ１１とＳＩＰ−ＳＤＰサーバ１２とプレゼンスサーバ１３とストレージ１４とクラスタ１５とを有し、Ｗｅｂサーバ１１にはＨＴＴＰロードバランサ２６が接続され、ＳＩＰ−ＳＤＰサーバ１２にはＳＩＰゲートウェイ２１、ＳＩＰサーバ２２、ＩＶＲ（ＳＩＰメディアサーバ）２３、課金サーバ２４が接続され、Ｗｅｂサーバ１１およびプレゼンスサーバ１３にはデータベース２５が接続されている。
【００１２】
Ｗｅｂサーバ１１は、ユーザが電話をかける際のポータルを管理し、電話帳アプリケーションを管理している。ＳＩＰ−ＳＤＰサーバ１２は、Ｗｅｂサーバ１１からのコールリクエストを受け、ＳＩＰコントロールにより通話制御を行う。クラスタ構成の場合、クラスタ監視ソフトが必要である。プレゼンスサーバ１３は、ＶｏＩＰ端末の状態を管理する。ストレージ１４は、ＳＩＰ−ＳＤＰサーバ１２、プレゼンスサーバ１３のデータを蓄積する。ＨＴＴＰロードバランサ２６は、ユーザからのＷｅｂアクセスをＷｅｂサーバ１１に振り分ける。データベース２５は、アカウント情報、Ｗｅｂアプリケーションのデータ、各種設定情報を保持し、プレゼンスサーバ１３と連携する。
【００１３】
次に、携帯端末１から自宅０５０電話５宛の通話の手順を説明する。
【００１４】
ユーザは携帯端末ブラウザにて固定通信事業者のＷｅｂサーバ１１へアクセスする（ステップ１０１）。このときのパケット通信料はユーザが負担する。アクセスを受けたＷｅｂサーバ１１はＳＩＰ-ＳＤＰサーバ１２へコールリクエストする（ステップ１０２）。プレゼンスサーバ１３はＳＩＰ-ＳＤＰサーバ１２の要求によりＶｏＩＰ端末５の状態を、宅内状態確認手段６との連携により確認する（ステップ１０３）。宅内状態確認手段６としては、ＩＰカメラ、鍵、ＩＣカードなどが考えられる。また、顧客通信事業者のビジネス形態によっては、ホームセキュリティシステム（ホームコントロールボックス）との連携が考えられる。在宅の場合、ＳＩＰ-ＳＤＰサーバ１２は、携帯電話網２を介して携帯電話１に発信者側電話呼出しを行う（ステップ１０４）。この呼出しは課金対象となる。不在の場合、ＳＩＰ-ＳＤＰサーバ１２は、０５０電話サービス網３を介して相手先側電話５の呼び出しを行い、不在である旨の情報（音声ガイダンス）のみを発信者へ返す（ステップ１０５）。この呼出しは無料である。
【００１５】
本実施形態によれば、自宅ＶｏＩＰ端末のプレゼンス状態を確認し、不在である場合はコールバックせず、不在である旨の情報のみを発信者へ返すことで、コールバックによる無駄な通話料を削減することが可能となる。
【図面の簡単な説明】
【００１６】
【図１】携帯電話からＶｏＩＰ電話（自宅０５０番号）へ通話する場合の通信システムの構成および手順を示す図である。
【図２】図1中の固定事業者設備の構成を示す図である。
【符号の説明】
【００１７】
１    携帯電話
２    携帯電話網
３    ０５０電話サービス網
４    固定事業設備
５    自宅０５０電話
６    宅内情報確認手段
１１  Ｗｅｂサーバ
１２  ＳＩＰ−ＳＤＰサーバ
１３  プレゼンスサーバ
１４  ストレージ
１５  クラスタ監視ソフト
２１  ＳＩＰゲートウェイ
２２  ＳＩＰサーバ
２３  ＩＶＲ（ＳＩＰメディアサーバ）
２４  課金サーバ
２５  ＤＢ
２６  ＨＴＴＰロードバランサ
１０１〜１０５  ステップ
【図１】
2009081633.tif 000003
【図２】
2009081633.tif 000004